(57)【要約】【課題】径の異なる吸引パイプを適宜選択して付替えできるディスペンサの吸引パイプ連結用アダプターを提案する。【解決手段】アダプターを、ディスペンサの吸引口ｈにつながる開孔を有する天板７ａと、この天板７ａの縁部において垂下保持され、その外周面を固定部とする外筒７ｂと、該開孔を取り囲んで該天板７ａに吊り下げ保持され、該外筒７ｂの内周面との相互間にて下向きに開放された環状溝ｎを形成する内筒７ｃとを備えもので構成する。そして、内筒７ｃの内周面、外周面を吸引パイプ８との嵌合を可能とする嵌合部とし、外筒７ｂの内周面を吸引パイプ８との嵌合を可能とする嵌合部とする。【選択図】図１
2014214724.tif 000002
【特許請求の範囲】
【請求項１】
内容物を注出するディスペンサと、容器内の内容物を吸い上げる吸引パイプとを着脱自在に連結するアダプターであって、
前記ディスペンサの吸引口につながる開孔を有する天板と、この天板の縁部において垂下保持され、その外周面を固定部とする外筒と、該開孔を取り囲んで該天板に吊り下げ保持され、該外筒の内周面との相互間にて下向きに開放された環状溝を形成する内筒とを備え、
前記内筒は、前記吸引パイプに嵌合可能な内周面および外周面を有し、該外筒は、前記吸引パイプに嵌合可能な内周面を有することを特徴とするディスペンサの吸引パイプ連結用アダプター。
【請求項２】
前記外筒は、その下端に、フランジを介して一体的につながり、その外周面において前記吸引パイプとの嵌合を可能とする円筒状の脚部を設けたことを特徴とする請求項１に記載したディスペンサの吸引パイプ連結用アダプター。
【発明の詳細な説明】
【技術分野】
【０００１】
本発明は、容器内に充填された液状の内容物を注出するのに使用されるディスペンサに適用して好適な吸引パイプ連結用アダプターに関するものである。
【背景技術】
【０００２】
ポンプやリンス、液体石鹸等を入れた、とくに据え置き型の容器においては、内容物の注出用ディスペンサとしてポンプ式の注出器（吐出器）が使用されている。
【０００３】
通常、この種のディスペンサは、容器の口頚部に取付けられた押圧ヘッドを押し込んでそれにつながるポンプを作動させ、該ポンプの吸引口につながる吸引パイプを通して容器内の内容物を吸引するとともに、ポンプシリンダ内で加圧して押圧ヘッドのノズル部を通して注出するように構成されている。
【０００４】
そして、アルコール分等を含む比較的粘度の低い内容物を注出対象とするものにあっては、内容物のスムーズな注出を実現するため径の小さな吸引パイプを使用する一方、粘度の比較的高い内容物を対象としたものにあっては、径の大きな吸引パイプを使用するのが普通であり、該ディスペンサの吸引パイプ取り付け部は、該吸引パイプの径に合わせたサイズに設計されている。
【０００５】
ところで、上記ディスペンサは、内容物の粘度に違いがあったとしてもその基本構造は共通であり、ディスペンサ自体は共用することができるところ、吸引パイプの取り付け部のみを変更したディスペンサの新規な製造においては製造コストの上昇が避けられない不具合がある。
【０００６】
この点に関する先行技術として、特許文献１には、ポンプのシリンダの下端に垂設するパイプ嵌合筒につき、それを小径筒と大径筒とで形成し、該小径筒の内周に小径の吸上げパイプの上端外周を、また、該大径筒の内面に大径の吸上げパイプの上端外周を、いずれか一方の選択にて嵌合させるポンプ式液体注出器が提案されている。
【先行技術文献】
【特許文献】
【０００７】
【特許文献１】特開平１０−００５６３８号公報
【０００８】
上記文献に開示された注出器によれば、同一の注出器を、吸引パイプの付替えのみで低粘度の内容物の注出にも、また、高粘度の内容物の注出にも対応することを可能としており、生産性の改善や製造コストの抑制を図る観点からは極めて有用な手段であるとされていた。
【０００９】
しかしながら、上記文献に開示された従来の注出器は、付替え可能な吸引パイプが、小径、大径の二種でその付替えが限定的であり、ディスペンサの汎用性、共用範囲の拡大を図るうえにおいては未だ改善の余地が残されている。また、吸引パイプの取り付け部はポンプのシリンダに一体化されており、ディスペンサの形状が複雑にならざるを得ない状況にあり（金型形状の複雑化）、その簡素化、単純化も求められている。
【発明の開示】
【発明が解決しようとする課題】
【００１０】
本発明の目的は、内容物の粘度に応じた径をもった吸引パイプを適宜選択してディスペンサに装着することが可能であり、かつ、ディスペンサの形状の簡素化、単純化を図り得る吸引パイプ連結用アダプターを提案するところにある。
【課題を解決するための手段】
【００１１】
本発明は、内容物を注出するディスペンサと、容器内の内容物を吸い上げる吸引パイプとを該ディスペンサの吸引口において着脱自在に連結するアダプターであって、該ディスペンサの吸引口につながる開孔を有する天板と、この天板の縁部において垂下保持され、その外周面を固定部とする外筒と、該開孔を取り囲んで該天板に吊り下げ保持され、該外筒の内周面との相互間にて下向きに開放された環状溝を形成する内筒とを備え、前記内筒は、前記吸引パイプに嵌合可能な内周面および外周面を有し、該外筒は、前記吸引パイプに嵌合可能な内周面を有することを特徴とするディスペンサの吸引パイプ連結用アダプターである。
【００１２】
上記の構成からなる吸引パイプ連結用アダプターにおいては、外筒の下端に、フランジを介して一体的につながり、その外周面において前記吸引パイプとの嵌合を可能とする円筒状の脚部を設けることができる。
【発明の効果】
【００１３】
上記の構成からなるディスペンサの吸引パイプ連結用アダプターによれば、該アダプターを、ディスペンサの吸引口につながる開孔を有する天板と、この天板の縁部において垂下保持され、その外周面を固定部とする外筒と、該開孔を取り囲んで該天板に吊り下げ保持され、該外筒の内周面との相互間にて下向きに開放された環状溝を形成する内筒とを備えたもので構成するようにしたため、内筒の内周面、外周面、あるいは外筒の外周面にて吸引パイプを適宜選択的に嵌合させることが可能となり、ディスペンサの汎用性、共用範囲の拡大を図り得る（吸引パイプを付け替える際の選択の幅が広がる）。また、既存のディスペンサへの適用も可能であり、ディスペンサの有効活用を図ることができるだけでなく、外筒の外周面を固定部とするため、ディスペンサを新規に製造する場合においては、該外筒を嵌合させ得る筒状体を設けるだけですみ、該ディスペンサの形状の簡素化、単純化が可能となる。
【００１４】
また、本発明の吸引パイプ連結用アダプターによれば、外筒の下端に、フランジを介して一体的につながり、その外周面において吸引パイプとの嵌合を可能とする円筒状の脚部を設けるようにしたため、吸引パイプを付け替える際の選択の幅をより一層拡大することができる。
【図面の簡単な説明】
【００１５】
【図１】本発明に従う吸引パイプ連結用アダプターを押圧ヘッドを備えたポンプ式のディスペンサに組み付けた状態を模式的に示した図である。
【図２】本発明に従うアダプターの外観斜視図を一部断面にして示した図である。
【図３】本発明に従う吸引パイプ連結用アダプターを適用して径の異なる吸引パイプを取り付けた状態を示した図である。
【図４】本発明に従う吸引パイプ連結用アダプターを適用して、さらに径の異なる吸引パイプを取り付けた状態を示した図である。
【図５】本発明に従う吸引パイプ連結用アダプターの他の実施の形態を模式的に示した図である。
【発明を実施するための形態】
【００１６】
以下、図面を参照して本発明をより具体的に説明する。図１は、本発明に従う吸引パイプ連結用アダプターを装着したディスペンサを模式的に示した図（中心線を境に左側半分を外観で表示し、右側半分を断面で表示している）であり、図２は、本発明に従う吸引パイプ連結用アダプターのみを取り出してその外観斜視図を一部断面にして示した図である。
【００１７】
なお、本発明では、ディスペンサとして、押圧ヘッドを備えたポンプ式の注出器を例にとって説明するが、本発明のディスペンサとは、例えば、操作レバーを備えたトリガー式の注出器、容器本体の胴体を押し潰すことによって容器の口頚部に装着されたノズル部を通して内容物を注出するスクイズタイプの注出器（スプレー式、計量室を備えたもの等）等、吸引パイプを通して内容物の注出を可能とする全ての注出器を含むものであり、押圧ヘッドを備えたポンプ式の注出器に限定されるものではない。また、本発明に従うアダプターは合成樹脂を用い、それを射出成形等の成形手法を適用して成形されたものが適用される。
【００１８】
図における符号１は、容器本体の口頚部（図示せず）に着脱自在に固定保持するためのカバーキャップである。このカバーキャップ１は、容器の口頚部を取り囲む周壁１ａと、この周壁１ａの上端部に一体連結するとともにその中央部に貫通開孔を有する天面壁１ｂから構成されており、周壁１ａの内周面には容器の口頚部に係合するねじ部が設けられている。
【００１９】
上記カバーキャップ１は、容器の口頚部にねじ止めされるものを例として示しているが、該カバーキャップ１は、アンダーカットの如き係合手段で容器の口頚部に固定保持してもよく、この点については、図示のものに限定されない。
【００２０】
また、２は、カバーキャップ１の天面壁１ｂに配置され、後述するポンプを容器の口頚部内において吊り下げ保持するベースである。このベース２は、外周面にねじ部を有する周壁２ａと、この周壁２ａの上端に一体連結し、かつ、その中央部に貫通開孔が形成された天板２ｂと、この天板２ｂの下面において下向きに開放された環状溝ｎを形成する筒体２ｃ、２ｄと、天板２ｂの貫通開孔を取り囲んで該筒体２ｄに垂下保持される中筒２ｅから構成されている。
【００２１】
また、３は、容器内の内容物を吸引、加圧して注出するためのポンプである。このポンプ３は、カバーキャップ１の貫通開孔を通してその上端部をベース２の環状溝ｎに回転不能に差し込み、その差し込み状態をアンダーカットの如き係合手段によって強固に維持した筒状のシリンダ３ａと、このシリンダ３ａの内側に配置され、その内周壁に沿って摺動しつつ昇降可能な環状のピストン３ｂと、このピストン３ｂに一体連結して該ピストン３ｂとともに昇降可能で、かつ、その上端部をカバーキャップ１の貫通孔、ベース２の貫通孔を通して外部に露出させた中空ステム３ｃと、ピストン３ｂを中空ステム３ｃとともに弾性支持するスプリング３ｄと、シリンダ３ａの底部に形成された吸引口ｈを閉塞し、内容物の吸引時にのみ該吸引口ｈを開放する弁部材（逆止弁）３ｅとを備えている。ここに、吸引口ｈがディスペンサの吸引口を形成する。
【００２２】
なお、上記弁部材３ｅは、３点弁の如き弁体３ｅ１と、この弁体３ｅ１を支持する支持部材３ｅ２にて構成されたものを例として示したが、ボール弁を適用したものでもよく、図示のものに限定されない。また、中空ステム３ｃの外周面の上部には、ベース２の中筒２ｅに当接して該中空ステム３ｃの上昇位置（上死点）を決定する段部３ｃ１が設けられており、さらに、シリンダ３ａの外周面の上部には、径方向の外側へ向けて延出し容器の口頚部とカバーキャップ１の天面壁１ｂとの間でパッキンを介して挟持されるフランジ３ａ１が形成されている。
【００２３】
また、４は、中空ステム３ｃの露出部分に嵌合状態で連結する押圧ヘッドである。この押圧ヘッド４は、ベース２の周壁２ａを取り囲むことができる径を有する周壁４ａと、この周壁４ａの上端に一体連結してその上面を押し込み力の付与面とした天板４ｂと、この天板４ｂの下面（裏面）に一体的に設けられ、中空ステム３ｃの上端部に嵌合可能な筒体４ｃと、この筒体４ｃの通路につながり中空ステム３ｃの内部通路を通して供給された内容物を該筒体４ｃを経て外界へ排出する注出ノズル４ｄから構成されている。周壁４ａの内周面には、ベース２の周壁２ａの外周面に形成されたねじ部に係合可能なねじ部が形成されていて、それらをねじ部に係合させることで押圧ヘッド４を最も押し込んだ状態に維持することができるようになっている。
【００２４】
また、５は、中空ステム３ｃの内部通路に設けられた逆止弁である。この逆止弁５は、該内部通路に設けられた座面３ｃ２に着座して該内部通路を閉塞状態に保持するものであって、押圧ヘッド４を押し込んでシリンダ３ａの内部が加圧されたときにのみ該内部通路を開放する。
【００２５】
６は、シリンダ３ａの底壁に垂下保持され、シリンダ３ａに形成された吸引口ｈをその入側において取り囲むように配置された筒体である。この筒体６は、その上端がシリンダ３ａに一体連結しており、その下端に開放端６ａを有している。
【００２６】
また、７は、ディスペンサの吸引口ｈと、吸引パイプとを着脱自在に連結するアダプター、８はアダプター７に嵌合することによって連結され容器内の内容物を吸い上げる吸引パイプである。吸引パイプ８は、容器の底部に至るまでの長さを有するものが用いられるが、ここでは、その一部（取付け部）のみを表示している。
【００２７】
上記アダプター７は、ディスペンサの吸引口ｈにつながる開孔ｈ１を有する天板７ａと、この天板７ａの縁部において垂下保持され、その外周面を固定部とする外筒７ｂと、該天板７ａの開孔ｈ１を取り囲んで該天板７ａに吊り下げ保持され、該外筒７ｂの内周面との相互間にて下向きに開放された環状溝ｍを形成する内筒７ｃとを備えたもので構成されおり、外筒７ｂの外周面を筒体６の内周面にて嵌合させることによって固定することができるようになっている。天板７ａに形成された開孔ｈ１は、流量調整のためのオリフィスとして機能するものであり、該開孔ｈ１のサイズは、内容物の粘度等に応じて適宜設定される。
【００２８】
アダプター７の内筒７ｃは、吸引パイプ８の外周面に嵌合可能な内周面と、該吸引パイプ８の内周面に嵌合可能な外周面とを有しており、外筒７ｂは、吸引パイプ８の外周面に嵌合可能な内周面を有しており、この各内周面、外周面が嵌合部を形成す。内筒７ｃの内周面、外周面、外筒７ｂの内周面に嵌合する径（外径、内径）をもった吸引パイプ８を適宜選択して取り付けることにより、内容物の粘度に応じた適切な径を備えた吸引パイプ８の配置が可能となり、内容物のスムーズな注出が可能となる。
【００２９】
内筒７ｃの内周面、外周面、外筒７ｂの内周面には、吸引パイプ８に予め設けられた凸部あるいは凹部にアンダーカット係合する凹部あるいは凸部を適宜設けておくことができる。これにより内筒７ｃあるいは外筒７ｂと吸引パイプ８とを強固に連結し得る。なお、上掲図１は、吸引パイプ８を、アダプター７の内筒７ｃの内周面に嵌合させた、最も径の小さい吸引パイプ８を装着した場合を示している。
【００３０】
上記の構成からなるディスペンサを使用して容器内の内容物を注出するには、押圧ヘッド４の天板４ｂに押圧力を付加して該押圧ヘッド４そのものを押し下げる。これにより、ピストン３ｂは、中空ステム３ｃとともにシリンダ３ａ内を下降していき、シリンダ３ａの内部は加圧される。この加圧によりシリンダ３ａ内に存在する内容物は、中空ステム３ｃの内部通路、押圧ヘッド４の筒体４ｃを通って注出ノズル４ｄから注出される。
【００３１】
押圧ヘッド４の押し下げを解除すると、該押圧ヘッド４は、スプリング３ｄの付勢力により、中空ステム３ｃの段部３ｃ１が中筒２ｅに当接するまで上昇していき、初期姿勢へと復帰する。このとき、シリンダ３ａの内部は負圧化され、弁部材３ｅを構成する弁体３ｅ１が座面から離反して吸引口ｈが開放されると同時に吸引パイプ８を通して容器内の内容物の所定量がシリンダ３ａの内部へと吸上げられる。
【００３２】
上記の如き押圧ヘッド４の押し下げと、その復帰動作を複数回繰り返すことにより、容器内の内容物は注出ノズル４ｄから連続的に注出される。
【００３３】
図３は、吸引パイプ８を内筒７ｃの外周面に嵌合させた例を示した図であり、また、図４は、吸引パイプ８を外筒７ｂの内周面に嵌合させた例を示した図である。なお、アダプター７を構成する内筒７ｃの内周面あるいは外周面、外筒７ｂの内周面には、少なくとも一つの縦リブ９を設けることができる。縦リブ９を設ける場合には、吸引パイプ８の対応部位に該縦リブ９に適合する縦溝を設けるのが好ましく、この縦リブ９と縦溝により、吸引パイプ８の回動が防止される。縦リブ９は、吸引パイプ８に設けることも可能であり、この場合、該縦リブ９に適合する縦溝は、内筒７ｃあるいは外筒７ｂに設ける。
【００３４】
外筒７ｂの下端には、該外筒７ｂに一体連結して外側に向けて折り返されたフランジ１０を設けることができる。外筒７ｂの下端にフランジ１０を設けることにより、アダプター７を筒体６に嵌合させる際に、該フランジ１０の上面を筒体６の下端に当接させることができアダプター７の正確な位置決めが可能となる。
【００３５】
図５は、フランジ１０を介して外筒７ｂに一体的につながる円筒状の脚部１１を設けた本発明に従う他のアダプター７の例を示した図である。
【００３６】
フランジ１０を介して外筒７ｂに円筒状の脚部１１を設けることにより、該脚部１１の外周面にサイズの異なる吸引パイプ８を嵌合させることができ、これにより、より径の大きな吸引パイプ８を取り付けることが可能となり、該吸引パイプ８の選択幅をさらに拡大することができる。
【００３７】
脚部１１の外周面にも、吸引パイプ８に予め設けられた凸部あるいは凹部にアンダーカット係合する凹部あるいは凸部を設けることが可能であり、ディスペンサと吸引パイプ８とを強固に連結することができる。
【００３８】
アダプター７は、シリンダ３ａの底壁に設けた筒体６に嵌合させるだけで固定することができるため、ディスペンサを新規に製造する場合においては、その外観形状を簡素化、単純化（金型形状の簡素化）できる利点もある。
【産業上の利用可能性】
【００３９】
かくして本発明の吸引パイプ連結用アダプターによれば、径の異なる吸引パイプの複数本を内容物の粘度に応じて適宜選択して付替えることが可能となり、ディスペンサの汎用性、共用範囲の拡大を図ることができる（とくに、既存のディスペンサへの適用においては、該ディスペンサの有効活用を図ることができる）。
【００４０】
また、本発明の吸引パイプ連結用アダプターによれば、外筒の外周面を嵌合させるだけで固定することが可能であり、ディスペンサの取付け部における構造（形状）の簡素化、単純化が可能となる。
【符号の説明】
【００４１】
１      カバーキャップ
１ａ    周壁
１ｂ    天面壁
２      ベース
２ａ    周壁
２ｂ    天板
２ｃ    筒体
２ｄ    筒体
２ｅ    中筒
３      ポンプ
３ａ    シリンダ
３ｂ    ピストン
３ｃ    中空ステム
３ｄ    スプリング
３ｅ    弁部材
４      押圧ヘッド
４ａ    周壁
４ｂ    天板
４ｃ    筒体
４ｄ    注出ノズル
５      逆止弁
６      筒体
７      アダプター
７ａ    天板
７ｂ    外筒
７ｃ    内筒
８      吸引パイプ
９      縦リブ
１０    フランジ
１１    脚部
【図１】
2014214724.tif 000003
【図２】
2014214724.tif 000004
【図３】
2014214724.tif 000005
【図４】
2014214724.tif 000006
【図５】
2014214724.tif 000007